(57)【要約】【課題】紛体供給の方法を用いることなく、記録媒体の糊が屈曲ローラーに堆積することを効果的に抑制することが可能な画像形成装置を提供する。【解決手段】画像形成装置は、転写ベルト４２１の回転方向において転写部の下流に位置し、転写ベルトの外面に当接して該転写ベルトを屈曲させる屈曲ローラー４２３Ｃと、転写ベルトの回転方向において転写部の下流かつ屈曲ローラーの上流に設けられ、転写ベルトの外面に近接ないし接触して該転写ベルトを清掃する第１の清掃部材８０を有する。【選択図】図１
2018017901.tif 000002
【特許請求の範囲】
【請求項１】
転写ベルトを含む転写部と定着部とを備え、糊層を有する記録媒体を前記転写部で押圧および搬送しながら画像形成する画像形成装置であって、
前記転写ベルトの回転方向において前記転写部の下流に位置し、前記転写ベルトの外面に当接して該転写ベルトを屈曲させる屈曲ローラーと、
前記転写ベルトの回転方向において前記転写部の下流かつ前記屈曲ローラーの上流に設けられ、前記転写ベルトの外面に近接ないし接触して該転写ベルトを清掃する第１の清掃部材を有する、
画像形成装置。
【請求項２】
前記第１の清掃部材は、前記転写ベルトに対向するローラーを含む、
請求項１記載の画像形成装置。
【請求項３】
前記第１の清掃部材は、前記転写ベルトと近接ないし接触する領域に糊捕獲部を備える、
請求項２に記載の画像形成装置。
【請求項４】
前記糊捕獲部は、前記第１の清掃部材のローラー軸方向における中央部を除いた両端側に設けられている、
請求項３に記載の画像形成装置。
【請求項５】
前記糊捕獲部は、前記ローラーから突起するブラシである、
請求項３又は４に記載の画像形成装置。
【請求項６】
前記第１の清掃部材としてのローラーは、前記転写ベルトの進行方向と逆向きに回転するように駆動される、
請求項２から５のいずれか１項に記載の画像形成装置。
【請求項７】
前記屈曲ローラーの温度あるいは前記第１の清掃部材の周辺温度を前記転写部の温度よりも高くなるように加熱する熱源部を備える、
請求項１乃至６のいずれか１項に記載の画像形成装置。
【請求項８】
前記熱源部は、前記定着部とは別個に熱を発生するヒーターである、
請求項７に記載の画像形成装置。
【請求項９】
前記定着部は、前記第１の清掃部材の近傍に配置されることにより前記熱源部として機能する、
請求項７又は８に記載の画像形成装置。
【請求項１０】
前記転写ベルトの外面に付着したトナーを除去するトナークリーニング部材を備え、
前記トナークリーニング部材は、前記転写ベルトの回転方向において前記屈曲ローラーの下流かつ前記転写部の上流にある、
請求項１から９のいずれか１項に記載の画像形成装置。
【請求項１１】
転写ベルトを含む転写部と定着部とを備え、糊層を有する記録媒体を前記転写部で押圧および搬送しながら画像形成する画像形成装置であって、
前記転写ベルトの回転方向において前記転写部の下流に位置し、前記転写ベルトの外面に当接して該転写ベルトを屈曲させる屈曲ローラーと、
前記屈曲ローラーに近接ないし接触して該屈曲ローラーを清掃する第２の清掃部材と、を有する、
画像形成装置。
【請求項１２】
前記第２の清掃部材は、前記屈曲ローラーに対向するローラーである、
請求項１１記載の画像形成装置。
【請求項１３】
前記第２の清掃部材は、前記屈曲ローラーと近接ないし接触する領域に糊捕獲部を備え、
前記糊捕獲部は、前記第２の清掃部材のローラー軸方向における中央部を除いた両端側に設けられている、
請求項１２に記載の画像形成装置。
【請求項１４】
前記糊捕獲部は、前記ローラーから突起するブラシである、
請求項１３に記載の画像形成装置。
【請求項１５】
前記第２の清掃部材としてのローラーは、前記屈曲ローラーの回転に逆らう向きに回転するように駆動される、
請求項１２から１４のいずれか１項に記載の画像形成装置。
【請求項１６】
前記屈曲ローラーの温度あるいは前記第２の清掃部材の周辺温度を前記転写部の温度よりも高くなるように加熱する熱源部を備える、
請求項１１乃至１５のいずれか１項に記載の画像形成装置。
【請求項１７】
前記熱源部は、前記定着部とは別個に熱を発生するヒーターである、
請求項１６に記載の画像形成装置。
【請求項１８】
前記定着部は、前記第２の清掃部材の近傍に配置されることにより前記熱源部として機能する、
請求項１６又は１７に記載の画像形成装置。
【請求項１９】
前記転写ベルトの外面に付着したトナーを除去するためのトナークリーニング部材を備え、
前記トナークリーニング部材は、前記転写ベルトの回転方向において前記屈曲ローラーの下流かつ前記転写部の上流にある、
請求項１１ないし１８のいずれか１項に記載の画像形成装置。
【請求項２０】
前記屈曲ローラーの表面は、前記転写ベルトの表面よりも平滑な平滑面を有する、
請求項１１乃至１９のいずれか１項に記載の画像形成装置。
【請求項２１】
前記平滑面は、前記屈曲ローラーの軸方向における中央部を除いた両端側に配置されている、
請求項２０に記載の画像形成装置。
【発明の詳細な説明】
【技術分野】
【０００１】
本発明は、画像形成装置に関する。
【背景技術】
【０００２】
従来、画像形成部として転写ベルトを含む転写部と定着部とを備え、コピー用紙などの記録媒体を転写部で押圧および搬送しながら画像形成する画像形成装置の中には、転写ベルトの外面に屈曲ローラーを備えたタイプのものがある。かかる画像形成装置では、屈曲ローラーが、転写ベルトの外面に当接して転写ベルトを屈曲させるように設けられることで、定着部の配置スペースが確保される。
【０００３】
また、画像形成装置は、画像が印字される記録媒体として、ラベル紙と呼ばれる層構成の媒体、すなわち基材上に糊付きの剥離紙が積層された記録媒体を使用する場合がある。また、画像形成装置として、長尺のラベル紙がロール状に巻かれたもの（以下、単にロールという。）に画像を印字する、いわゆるラベル専用機と呼ばれる機種もある。
【０００４】
上述のような画像形成装置でラベル紙に画像形成する場合に、以下のような問題があった。すなわち、転写部における転写ニップでラベル紙が押圧される際に、糊がラベル紙の前奥端部からはみ出して転写ベルトに付着し、転写ベルト上の糊は、下流直後の屈曲ローラーに転移する。かかる糊の付着及び転移がラベル紙やロールの長距離に渡って行われると、屈曲ローラーの端部に糊がリング状に堆積して行くことになり、かかる堆積した糊が所定厚さ以上になると、転写ベルトの走行安定性に悪影響を及ぼす、という問題があった。
【０００５】
かかる問題に対して、特許文献１では、二次転写前にロール端部に紛体を供給（塗布）して、糊が転写部に付着することを防止する構成を採用している。
【先行技術文献】
【特許文献】
【０００６】
【特許文献１】特開２０１５−０１１０４７号公報
【発明の概要】
【発明が解決しようとする課題】
【０００７】
しかしながら、特許文献１では、糊の付着防止のために紛体を使用する構成であることから、かかる紛体が画像形成装置の内部部品に付着ないし飛散すると、記録媒体の搬送性能が低下したり、記録媒体に形成される画像が汚れたりするなどの問題があった。言い換えると、特許文献１の技術では、粉体が装置内部の部品に付着ないし転移することに対処する構成がさらに必要となる。
【０００８】
本発明の目的は、紛体供給の方法を用いることなく、記録媒体の糊が屈曲ローラーに堆積することを抑制することが可能な画像形成装置を提供することである。
【課題を解決するための手段】
【０００９】
本発明に係る画像形成装置は、
転写ベルトを含む転写部と定着部とを備え、糊層を有する記録媒体を前記転写部で押圧および搬送しながら画像形成する画像形成装置であって、
前記転写ベルトの回転方向において前記転写部の下流に位置し、前記転写ベルトの外面に当接して該転写ベルトを屈曲させる屈曲ローラーと、
前記転写ベルトの回転方向において前記転写部の下流かつ前記屈曲ローラーの上流に設けられ、前記転写ベルトの外面に近接ないし接触して該転写ベルトを清掃する第１の清掃部材を有する。
【００１０】
本発明に係る画像形成装置は、
転写ベルトを含む転写部と定着部とを備え、糊層を有する記録媒体を前記転写部で押圧および搬送しながら画像形成する画像形成装置であって、
前記転写ベルトの回転方向において前記転写部の下流に位置し、前記転写ベルトの外面に当接して該転写ベルトを屈曲させる屈曲ローラーと、
前記屈曲ローラーに近接ないし接触して該屈曲ローラーを清掃する第２の清掃部材と、を有する。
【発明の効果】
【００１１】
本発明の画像形成装置によれば、紛体を供給することなく、記録媒体の糊が屈曲ローラーに堆積することを効果的に抑制することができる。
【図面の簡単な説明】
【００１２】
【図１】本実施の形態における画像形成システムの全体構成を概略的に示す図である。
【図２】本実施の形態における画像形成装置の制御系の主要部を示す図である。
【図３】本実施の形態で用いられる長尺紙の一例を模式的に示す側断面図である。
【図４】本実施の形態における画像形成装置の屈曲ローラー周辺の構成を抽出して示す要部拡大図である。
【図５】ブラシローラーで糊を捕獲（除去、回収）する動作を説明するための図である。
【図６】ブラシローラーの他の構成例を示す図であり、図６Ａはローラーの端部のみにブラシを設けた例を、図６Ｂはローラー本体の幅方向中央部分が無い例を、それぞれ示す。
【発明を実施するための形態】
【００１３】
以下、本実施の形態を、図面を参照して詳細に説明する。図１は、本発明の実施の形態における画像形成部システム１００の全体構成を概略的に示す図である。図２は、本実施の形態における画像形成部システム１００が備える画像形成装置２の制御系の主要部を示す。
【００１４】
画像形成部システム１００は、図１において太線で示す長尺紙Ｐを記録媒体として使用し、長尺紙Ｐ上に画像を形成するシステムである。
【００１５】
長尺紙Ｐは、その搬送方向において例えば、画像形成装置２の本体幅を超える長さを有する長尺紙であり、ロール紙や連続紙を含む。
【００１６】
図１に示すように、画像形成システム１００は、長尺紙Ｐの搬送方向に沿って上流側から、給紙装置１、画像形成装置２および巻き取り装置３が接続されて構成される。
【００１７】
給紙装置１は、長尺紙Ｐを画像形成装置２へ給紙する装置である。給紙装置１の筐体内では、長尺紙Ｐが支持軸にロール状に巻回されて回転可能に保持されている。給紙装置１は、支持軸に巻回された長尺紙Ｐを、例えば、繰り出しローラー、給紙ローラー等の複数の搬送ローラー対を経由して、一定の速度で画像形成装置２へ搬送する。給紙装置１の給紙動作は、画像形成装置２が備える制御部１０１によって制御される。
【００１８】
画像形成装置２は、電子写真プロセス技術を利用した中間転写方式のカラー画像形成装置である。すなわち、画像形成装置２は、感光体ドラム４１３上に形成されたＹ（イエロー）、Ｍ（マゼンタ）、Ｃ（シアン）、Ｋ（ブラック）の各色トナー像を中間転写ベルト４２１に一次転写し、中間転写ベルト４２１上で４色のトナー像を重ね合わせた後、給紙装置１から給紙された長尺紙Ｐに二次転写することにより、画像を形成する。
【００１９】
また、画像形成装置２は、ＹＭＣＫの４色に対応する感光体ドラム４１３を中間転写ベルト４２１の走行方向（この実施の形態では水平方向）に直列配置し、中間転写ベルト４２１に一回の手順で各色トナー像を順次転写させるタンデム方式が採用されている。
【００２０】
図２に示すように、画像形成装置２は、操作表示部２０、画像処理部３０、画像形成部４０、用紙搬送部５０、定着部６０、通信部７１、記憶部７２および制御部１０１を備える。
【００２１】
制御部１０１は、ＣＰＵ（Central Processing Unit）１０２、ＲＯＭ（Read Only Memory）１０３、ＲＡＭ（Random Access Memory）１０４等を備える。ＣＰＵ１０２は、ＲＯＭ１０３から処理内容に応じたプログラムを読み出してＲＡＭ１０４に展開し、展開したプログラムと協働して画像形成装置２の各ブロック等の動作を集中制御する。このとき、記憶部７２に格納されている各種データが参照される。記憶部７２は、例えば不揮発性の半導体メモリ（いわゆるフラッシュメモリ）やハードディスクドライブで構成される。
【００２２】
制御部１０１は、通信部７１を介して、ＬＡＮ（Local Area Network）、ＷＡＮ（Wide Area Network）等の通信ネットワークに接続された外部の装置（例えばパーソナルコンピューター）との間で各種データの送受信を行う。通信部７１は、例えばＬＡＮカード等の通信制御カードで構成される。制御部１０１は、例えば、外部の装置から送信された画像データ（入力画像データ）を受信し、この画像データに基づいて長尺紙Ｐに画像を形成するための処理を実行する。具体的には、制御部１０１は、外部の装置から送信された画像データに所定の画像処理を施すように画像処理部３０に制御信号を出力する。
【００２３】
図２に示すように、操作表示部２０は、例えばタッチパネル付の液晶ディスプレイ（ＬＣＤ：Liquid Crystal Display）で構成され、表示部２１及び操作部２２として機能する。表示部２１は、制御部１０１から入力される表示制御信号に従って、各種操作画面、画像の状態、各機能の動作状況、印刷に関する情報等の表示を行う。操作部２２は、テンキー、スタートキー等の各種操作キーを備え、ユーザーによる各種入力操作を受け付けて、操作信号を制御部１０１に出力する。
【００２４】
画像処理部３０は、入力画像データに対して、初期設定又はユーザー設定に応じたデジタル画像処理を行う回路等を備える。例えば、画像処理部３０は、制御部１０１の制御下で、階調補正データ（階調補正テーブル）に基づいて階調補正を行う。また、画像処理部３０は、入力画像データに対して、階調補正の他、色補正、シェーディング補正等の各種補正処理や、圧縮処理等を施す。これらの処理が施された画像データに基づいて、画像形成部４０が制御される。
【００２５】
図１に示すように、画像形成部４０は、入力画像データに基づいて、Ｙ成分、Ｍ成分、Ｃ成分、Ｋ成分の各有色トナーによる画像を形成するための画像形成ユニット４１Ｙ、４１Ｍ、４１Ｃ、４１Ｋ、中間転写ユニット４２等を一次転写部として備える。
【００２６】
Ｙ成分、Ｍ成分、Ｃ成分、Ｋ成分用の画像形成ユニット４１Ｙ、４１Ｍ、４１Ｃ、４１Ｋは、同様の構成を有する。図示及び説明の便宜上、共通する構成要素は同一の符号で示し、それぞれを区別する場合には符号にＹ、Ｍ、Ｃ、又はＫを添えて示す。
【００２７】
画像形成ユニット４１は、露光装置、現像装置、感光体ドラム４１３、帯電装置、ドラムクリーニング装置、及びトナー回収部などを備える。説明の便宜上、画像形成ユニット４１の上記構成のうち感光体ドラム４１３のみを図示している。
【００２８】
感光体ドラム４１３は、例えば、ドラム状の金属基体を備え、かかる基体の外周面に有機光導電体を含有させた樹脂よりなる感光層が形成された、有機感光体である。
【００２９】
制御部１０１は、感光体ドラム４１３を回転させる駆動モーター（図示略）に供給される駆動電流を制御することにより、感光体ドラム４１３を一定の周速度で回転させる。
【００３０】
帯電装置は、例えば帯電チャージャーであり、コロナ放電を発生させることにより、光導電性を有する感光体ドラム４１３の表面を一様に負極性に帯電させる。
【００３１】
露光装置は、例えば半導体レーザーで構成され、感光体ドラム４１３に対して各色成分の画像に対応するレーザー光を照射する。その結果、感光体ドラム４１３の表面のうちレーザー光が照射された画像領域には、背景領域との電位差により各色成分の静電潜像が形成される。
【００３２】
現像装置は、二成分逆転方式の現像装置であり、感光体ドラム４１３の表面に各色成分の現像剤を付着させることにより静電潜像を可視化してトナー像として現像する。感光体ドラム４１３の表面にトナー像を形成するための詳細な処理は、本実施の形態の特徴と直接関係しないため、説明を省略する。
【００３３】
ドラムクリーニング装置は、感光体ドラム４１３の表面に当接され、弾性を有する平板状のドラムクリーニングブレード等を有し、中間転写ベルト４２１に転写されずに感光体ドラム４１３の表面に残留するトナーを除去する。
【００３４】
中間転写ユニット４２は、中間転写ベルト４２１、一次転写ローラー４２２、複数の支持ローラー４２３（４２３Ａ〜Ｄ）、二次転写ローラー４２４、及びベルトクリーニング装置４２６等を備える。一次転写ローラー４２２に関し、図示および説明の便宜のため、Ｋ成分用の一次転写ローラーだけ図１に示している。
【００３５】
中間転写ベルト４２１は無端状ベルトで構成され、複数の支持ローラー４２３にループ状に張架される。複数の支持ローラー４２３のうちの少なくとも１つは駆動ローラーで構成され、その他は従動ローラーで構成される。例えば、Ｋ成分用の一次転写ローラー４２２よりもベルト走行方向下流側に配置されるローラー４２３Ａが駆動ローラーであることが好ましい。これにより、一次転写部におけるベルトの走行速度を一定に保持しやすくなる。駆動ローラー４２３Ａが回転することにより、中間転写ベルト４２１は矢印Ａ方向に一定速度で走行する。
【００３６】
駆動ローラー４２３Ａよりもベルト走行方向下流側に配置されるローラー４２３Ｂは、後述する二次転写ローラー４２４と対をなすバックアップローラー４２３Ｂである。また、バックアップローラー４２３Ｂよりもベルト走行方向下流側に配置されるローラー４２３Ｃは、中間転写ベルト４２１の外周面（外面）に圧接し中間転写ベルト４２１を内側に折り曲げるように屈曲させる屈曲ローラーである。この屈曲ローラー４２３Ｃは、駆動源を持たない従動ローラーであり、中間転写ベルト４２１に従動して図１の時計方向に回転する。
【００３７】
屈曲ローラー４２３Ｃよりもベルト走行方向下流側に配置されるローラー４２３Ｄは、駆動ローラー４２３Ａに対応する高さ位置に配置されている従動ローラーである。図１に示すように、屈曲ローラー４２３Ｃは、中間転写ベルト４２１の二次転写部の下流直ぐの位置に設けられている。かかる配置とすることで、中間転写ベルト４２１におけるバックアップローラー４２３Ｂ及び従動ローラー４２３Ｄ間の部位が上方に持ち上げられ、定着部６０を配置する空間が広く確保される。
【００３８】
中間転写ベルト４２１は、導電性および弾性を有するベルトであり、表面に高抵抗層を有する。中間転写ベルト４２１は、制御部１０１の制御信号に基づいて駆動ローラー４２３Ａが駆動されることにより、所定の走行速度で回転駆動される。
【００３９】
一次転写ローラー４２２は、各色成分の感光体ドラム４１３に対向して、中間転写ベルト４２１の内周面側に配置される。中間転写ベルト４２１を挟んで、一次転写ローラー４２２が感光体ドラム４１３に圧接されることにより、感光体ドラム４１３から中間転写ベルト４２１へトナー像を転写するための一次転写ニップが形成される。
【００４０】
二次転写ローラー４２４は、駆動ローラー４２３Ａのベルト走行方向下流側に配置されるバックアップローラー４２３Ｂに対向して、中間転写ベルト４２１の外周面側に配置される。中間転写ベルト４２１を挟んで、二次転写ローラー４２４がバックアップローラー４２３Ｂに圧接されることにより、中間転写ベルト４２１から長尺紙Ｐへトナー像を転写するための二次転写ニップが形成される。
【００４１】
前述した一次転写ニップを中間転写ベルト４２１が通過する際、感光体ドラム４１３上のトナー像が中間転写ベルト４２１の外面に順次重ねて一次転写される。具体的には、一次転写ローラー４２２に一次転写バイアスを印加し、中間転写ベルト４２１の裏面側すなわち一次転写ローラー４２２と当接する側にトナーと逆極性の電荷を付与することにより、トナー像は中間転写ベルト４２１上に静電的に転写される。
【００４２】
その後、長尺紙Ｐが二次転写ニップを通過する際、中間転写ベルト４２１上のトナー像が長尺紙Ｐに二次転写される。具体的には、二次転写ローラー４２４に二次転写バイアスを印加し、長尺紙Ｐの裏面側すなわち二次転写ローラー４２４と当接する側にトナーと逆極性の電荷を付与することにより、トナー像は長尺紙Ｐの表面側に静電的に転写される。トナー像が転写された長尺紙Ｐは、定着部６０に向けて搬送される。
【００４３】
ベルトクリーニング装置４２６は、二次転写後に中間転写ベルト４２１の表面に残留する転写残トナーを除去する。説明の便宜のため、図１では、ベルトクリーニング装置４２６として、トナークリーニング部材を抽出して示している。かかるトナークリーニング部材４２６は、中間転写ベルト４２１の外周に圧接することで、中間転写ベルト４２１上に残存するトナーを剥ぎ取る。
【００４４】
本実施の形態では、トナークリーニング部材４２６は、後述する清掃部材ないし糊の除去回収部材としてのブラシローラー８０，９０の下流かつ、一次転写部を構成する感光体ドラム４１３の上流に配置されている。
【００４５】
なお、二次転写ローラー４２４に代えて、二次転写ローラーを含む複数の支持ローラーに、二次転写ベルトがループ状に張架された構成である、いわゆるベルト式の二次転写ユニットを採用してもよい。
【００４６】
定着部６０は、長尺紙Ｐの定着面すなわちトナー像が形成されている面側に配置される上側定着部６０Ａ、長尺紙Ｐの裏面すなわち定着面の反対の面側に配置される下側定着部６０Ｂ、および加熱源等を備える。本実施の形態では、上側定着部６０Ａおよび下側定着部６０Ｂは、それぞれローラー部材であり、定着面側の上側定着部６０Ａに裏面側の下側定着部６０Ｂが圧接されることにより、長尺紙Ｐを挟持して搬送する定着ニップが形成される。
【００４７】
定着部６０は、トナー像が二次転写され、搬送されてきた長尺紙Ｐを定着ニップで加熱、加圧することにより、長尺紙Ｐにトナー像を定着させる。定着部６０は、定着器ユニットとして画像形成装置２から着脱可能な構成とされ得る。
【００４８】
給紙装置１から画像形成装置２へ給紙された長尺紙Ｐは、搬送ローラー（搬送ローラー対）５３１や搬送案内部材５３２などを備える搬送経路部５３により画像形成部４０に搬送される。そして、画像形成部４０において、中間転写ベルト４２１のトナー像が長尺紙Ｐの表面（図１では上面）に一括して二次転写され、定着部６０において定着工程が実行され、長尺紙Ｐ上に画像形成される。画像形成された長尺紙Ｐは、一対の搬送ローラー（排紙ローラー対）を備えた排紙部５４により巻き取り装置３に搬送される。
【００４９】
巻き取り装置３は、画像形成装置２から搬送されて来た長尺紙Ｐを巻き取る装置である。巻き取り装置３の筐体内では、例えば、長尺紙Ｐが支持軸に巻回されてロール状に保持される。そのために、巻き取り装置３は、画像形成装置２から搬送されて来た長尺紙Ｐを、複数の搬送ローラー対（例えば、繰り出しローラー、排紙ローラー）を経由して、一定の速度で支持軸に巻き取る。巻き取り装置３の巻き取り動作は、画像形成装置２が備える制御部１０１によって制御される。
【００５０】
図３は、長尺紙Ｐの一構成例を示す側面図である。図３に示す長尺紙Ｐは、図中上方から、表面が印刷対象となる基材Ｐｂと、基材Ｐｂの裏面に形成された糊層Ｐｓと、糊層Ｐｓに当接する台紙ないし剥離紙としての剥離部Ｐｒと、の三層構造となっている。
【００５１】
長尺紙Ｐのサイズ（幅、厚み、長さ）は任意である。但し、本実施の形態では、中間転写ベルト４２１の幅よりも短い幅の長尺紙Ｐが使用される。
【００５２】
基材Ｐｂは、紙または樹脂製の長尺かつ薄板状の部材である。糊層（以下、単に糊ともいう。）Ｐｓは、基材Ｐｂの裏面全体に亘って形成されている。剥離部Ｐｒは、基材Ｐｂと略同一の幅及び長さ寸法を有する部材である。長尺紙Ｐは、基材Ｐｂから剥離部Ｐｒを剥離する場合に、糊Ｐｓが剥離部Ｐｒに付着せず且つ基材Ｐｂから剥離部Ｐｒが容易に分離される構造となっている。
【００５３】
ところで、画像形成装置２で上述のような長尺紙Ｐを記録媒体として用いる場合、以下のような問題がある。
【００５４】
長尺紙Ｐは、二次転写部のニップすなわち二次転写ローラー４２４及びバックアップローラー４２３Ｂのローラー対によって挟まれて厚み方向に押圧されながら搬送される際に、糊層Ｐｓの糊がロールの前奥端部ないし両端側からはみ出して、中間転写ベルト４２１の外周面に付着する。かくして中間転写ベルト４２１上に付着した糊は、二次転写部の下流に位置し中間転写ベルト４２１の外面を内側に屈曲させる外接部材としての屈曲ローラー４２３Ｃに転移する。
【００５５】
かかる糊の付着及び転移が長尺紙Ｐの長距離に渡って行われると、屈曲ローラー４２３Ｃの両端部側に糊がリング状に堆積して行く。そして、屈曲ローラー４２３Ｃ上に堆積した糊が所定厚さ（例えば１ｍｍ）以上になると、転写ベルト４２１の走行安定性に悪影響を及ぼす。転写ベルト４２１の走行安定性が悪くなると、長尺紙Ｐの基材Ｐｂの所定位置に画像が転写されない位置ずれ発生などの原因となる。
【００５６】
このような問題を解決するため、本実施の形態では、図１及び図４に示すように、二次転写部の下流かつ屈曲ローラー４２３Ｃの上流に、中間転写ベルト４２１の外周面を清掃する第１の清掃部材としてのブラシローラー８０を設けている。さらに、本実施の形態では、屈曲ローラー４２３Ｃの表面を清掃する第２の清掃部材としてのブラシローラー９０を、屈曲ローラー４２３Ｃに対向するように設けている。
【００５７】
本実施の形態ではブラシローラー８０及び９０は相互に同等の構成であるため、以下はブラシローラー８０の構成について図５及び図６を参照して説明し、ブラシローラー９０は主にブラシローラー８０と異なる部分について後述する。
【００５８】
ブラシローラー８０は、円柱状の外形を呈するローラー本体８１と、ローラー本体８１の回転中心位置に設けられた軸部８２と、ローラー本体８１の周面（表面）から複数の線材が突起する突起部ないし糊捕獲部としてのブラシ８３と、を有する。図示及び説明の便宜のため、図５ではブラシ８３の一部分を抽出して模式的に表しており、実際にはブラシローラー８０の周面全体に亘ってブラシ８３が略均等に配置されている。
【００５９】
ブラシ８３を構成する各線材は、軸部８２を基準として放射状に伸びるようにローラー本体８１の表面に埋設されている。ブラシ８３の素材については特に限定されず、ナイロンなどの化学繊維、馬毛などの動物繊維、パームなどの植物繊維、金属線などを単体または組み合わせて用いることができる。また、ブラシ８３を構成する各線材のサイズ（経や長さ）も任意である。
【００６０】
本実施の形態では、ローラー本体８１の表面にブラシ８３が植設された構成となっている。ブラシローラー８０の他の形態として、ローラー本体８１とブラシ８３とが同一素材で一体形成された構成としてもよい。
【００６１】
ブラシローラー８０は、中間転写ベルト４２１の走行に悪影響を与えないようにするために、中間転写ベルト４２１に対するブラシ８３の当接圧が出来るだけ小さくなるような構成ないし配置とすることが望ましい。中間転写ベルト４２１に対するブラシ８３の当接圧を極力無くすという観点からは、例えば、ブラシ８３の先端が中間転写ベルト４２１の表面に直接触れず、中間転写ベルト４２１上に堆積した糊のみに触れるようにブラシローラー８０を配置してもよい（図５参照）。以下、ブラシローラー８０のブラシ８３が中間転写ベルト４２１の表面に直接接触しない形態を考慮して、ブラシローラー８０が中間転写ベルト４２１に「接触または近接する」ことを総称して「アクセスする」と称する。
【００６２】
ブラシローラー８０は、定期的に交換する必要があることから、脱着可能な構成とされる。
【００６３】
さらに、本実施の形態の画像形成装置２は、長尺紙Ｐとして糊無しのロールを使用する場合も想定され、かかる場合は画像形成行程中に糊が中間転写ベルト４２１上に付着することがない。したがって、ブラシローラー８０は、例えば、軸部８２の両端を、中間転写ベルト４２１に対して離接方向に往復移動する可動レバー（図示略）に設ける構成とすることで、中間転写ベルト４２１に対して退避可能とされ得る。かかる構成とすることで、中間転写ベルト４２１に対するブラシ８３の当接圧に関わらず、糊無しのロールを使用する場合に中間転写ベルト４２１に負荷を与えないようにすることができる。
【００６４】
ブラシローラー８０は、図４及び図５の矢印Ｂ方向、すなわち中間転写ベルト４２１の進行方向（同図矢印Ａ方向）と逆らう向きに回転するように駆動される駆動ローラーである。このため、ブラシローラー８０の軸部８２は、モーターなどの駆動源（図示略）に接続されている。かかる駆動源は、制御部１０１の制御信号に基づいて駆動されることにより、ブラシローラー８０を所定の速度で回転駆動する。
【００６５】
以下、ブラシローラー８０で中間転写ベルト４２１の外面（表面）を清掃する原理や動作等について説明する。
【００６６】
上述のように、長尺紙Ｐは、画像形成装置２の二次転写部で厚み方向に押圧されながら定着部６０側に進行し、かかる二次転写部での押圧により糊が幅方向両端から糊が染み出され、かかる糊Ｐｓ（図５参照）が中間転写ベルト４２１の表面に付着する。続いて、糊Ｐｓが付着した中間転写ベルト４２１の当該部位は、屈曲ローラー４２３Ｃに向けて進行し、屈曲ローラー４２３Ｃの前段に位置するブラシローラー８０を通過する。このとき、中間転写ベルト４２１上の糊Ｐｓは、ブラシローラー８０のブラシ８３に接触する。
【００６７】
より具体的には、中間転写ベルト４２１上の糊Ｐｓは、図５に示すように、ブラシローラー８０のブラシ８３を構成する複数の線材と接触し、かかる線材によって包み込まれる状態になる。この状態では、中間転写ベルト４２１への糊Ｐｓの接触面積よりも、ブラシ８３への糊Ｐｓの接触面積の方が大きくなる。
【００６８】
糊は部材への接触面積が大きいほど当該部材への付着力が増すことから、ブラシ８３により糊を包み込み接触面積を増やすことによって、糊Ｐｓは、中間転写ベルト４２１から分離され、糊捕獲部であるブラシ８３で捕獲、回収される。
【００６９】
ブラシローラー８０の駆動に関し、その回転速度や中間転写ベルト４２１との速度比については任意である。他方、ブラシローラー８０は、中間転写ベルト４２１の速度に応じた速度で回転するように駆動され得る。例えば、糊の回収性能を一定に保つ観点から、中間転写ベルト４２１の走行速度が上がるに従ってブラシローラー８０の回転速度も上がるように、制御部１０１によって駆動制御されてもよい。
【００７０】
ブラシローラー８０は、使用すればするほどローラー本体８１の外周すなわちブラシ８３の部分に糊が蓄積され、その回収性能が徐々に低下して行く。そのため、画像形成装置２における糊の回収性能を一定以上に保つために、ブラシローラー８０は、定期的に交換される。
【００７１】
〔ブラシローラー９０〕
次に、第２の清掃部材としてのブラシローラー９０の構成について、上述したブラシローラー８０との相違点を中心に説明する。
【００７２】
ブラシローラー９０は、図４に示すように、屈曲ローラー４２３Ｃにアクセス（接触または近接）して屈曲ローラー４２３Ｃの表面を清掃するローラーである。ブラシローラー９０は、上述のブラシローラー８０と同様、円柱状の外形を呈するローラー本体、ローラー本体に設けられたローラー軸としての軸部、ローラー本体の周面から突起する糊捕獲部としてのブラシを有する（図５参照）。ブラシローラー９０におけるブラシの材質やサイズ等、屈曲ローラー４２３Ｃに対する当接圧、屈曲ローラー４２３Ｃに対して退避可能とする形態、図６で上述した変形例などについては、上述のブラシローラー８０と同様であり、説明を省略する。
【００７３】
ブラシローラー９０は、図４の矢印Ｄ方向、すなわち屈曲ローラー４２３Ｃの回転方向（同図矢印Ｃ方向）と逆らう向きに回転するように駆動される駆動ローラーである。このため、ブラシローラー９０の軸部は、モーターなどの駆動源に接続されている。ブラシローラー９０の駆動源は、上述したブラシローラー８０の駆動源と同一とする、或いは別個に設けることができる。
【００７４】
ブラシローラー９０で屈曲ローラー４２３Ｃ表面に付いた糊を捕獲、回収する原理や動作等は、上述したブラシローラー８０の場合と同様である。ブラシローラー９０も、使用により外周（ブラシ）部分に糊が蓄積され、回収性能が徐々に低下して行くことから、画像形成装置２における糊の回収性能を一定以上に保つために、定期的に交換される。
【００７５】
上述のように、本実施の形態の画像形成装置２では、二次転写部による二次転写の際に中間転写ベルト４２１に付着したロールの糊を、屈曲ローラー４２３Ｃの上流（前段）に配置した糊清掃部材（第１の清掃部材）であるブラシローラー８０によって積極的に回収し、中間転写ベルト４２１から除去する構成とした。
【００７６】
かかる構成により、中間転写ベルト４２１上に付着したロールの糊が屈曲ローラー４２３Ｃに転移することが防止ないし可及的に抑止され、屈曲ローラー４２３Ｃへの糊の堆積が効果的に防止ないし抑止される。
【００７７】
また、本実施の形態の画像形成装置２では、二次転写部による二次転写の際に中間転写ベルト４２１に付着し、屈曲ローラー４２３Ｃに転移したロールの糊を、屈曲ローラー４２３Ｃに対向配置した糊清掃部材（第２の清掃部材）であるブラシローラー９０によって回収し、屈曲ローラー４２３Ｃから除去する構成とした。
【００７８】
したがって、本実施の形態では、ブラシローラー９０によっても屈曲ローラー４２３Ｃへの糊の堆積が効果的に防止ないし抑止される。また、本実施の形態では、何らかの原因でブラシローラー８０での糊Ｐｓの捕獲が十分にないし全く行われず、屈曲ローラー４２３Ｃの周面に糊Ｐｓが付着してしまったような場合でも、かかる糊Ｐｓをブラシローラー９０で捕獲、回収することが可能となる。
【００７９】
このように、本実施の形態の画像形成装置２によれば、屈曲ローラー４２３Ｃへの糊の堆積が効果的に防止ないし抑止されるので、中間転写ベルト４２１の走行安定性が確保される。また、本実施の形態によれば、紛体塗布のような別法を実施する必要もない。
【００８０】
加えて、この画像形成装置２では、トナークリーニング部材４２６は、上述のように、ブラシローラー８０，９０の下流かつ、一次転写部を構成する感光体ドラム４１３の上流に配置されている。これは、トナークリーニング部材４２６に長尺紙Ｐからの糊が付着すると、部材が破損してトナークリーニング部材４２６からトナーのすり抜けが発生し、その後に印刷される画像の質が悪化することを考慮したものである。
【００８１】
すなわち、本実施の形態では、糊の残存の可能性が最も低いブラシローラー８０，９０の下流かつ一次転写部の上流位置にトナークリーニング部材４２６を配置することにより、印刷画像の品質を確保し、トナークリーニング部材４２６の寿命を可及的に長くすることができる。
【００８２】
〔ブラシローラーの変形例〕
上述した実施の形態では、ブラシローラー８０のブラシ８３は、ローラー本体８１の幅方向の全体に亘って配置されており、中間転写ベルト４２１の幅方向の全体にアクセス（接触または近接）する構成である。
【００８３】
他方、糊は、上述のように二次転写時に長尺紙Ｐの両端部から出て、中間転写ベルト４２１の対応する幅方向両端側の部位（領域）に付着するものであり、装置構成等にもよるが、中間転写ベルト４２１の幅方向中央側の領域にまで付着することは稀である。
【００８４】
このため、ブラシローラー８０は、専ら糊が付着する部位である中間転写ベルト４２１の幅方向両端部にだけアクセスする構成とすることができる。以下、図６を参照して、ブラシローラー８０の変形例として、糊捕獲部としてのブラシ８３を、軸部８２（ローラー軸）方向における中央を除いた両端側にのみ設けた構成について説明する。
【００８５】
図６Ａに示すブラシローラー８０は、長尺紙Ｐの糊が付着し得る部分となる中間転写ベルト４２１の幅方向両端側領域に対向する、ローラー本体８１の幅方向の両端部のみにブラシ８３（８３ａ，８３ｂ）が配置され、ローラー本体８１の幅方向の中央側領域にはブラシ８３が配置されない構成である。
【００８６】
さらに他の変形例として、図６Ｂに示すブラシローラー８０は、ローラー本体８１が２つに分離された構成である。このブラシローラー８０は、ローラー本体８１の幅方向の中央部分が無い構成であり、糊が付着し得る箇所に左右一対のローラー本体８１ａ、８１ｂ及びブラシ８３（８３ａ，８３ｂ）が配置されている。ここで、ブラシ８３ａ及び８３ｂ間の距離は、長尺紙Ｐの糊が付着し得る部分となる中間転写ベルト４２１の幅方向の各端側領域間の距離に相当する。
【００８７】
これら図６Ａ及び図６Ｂに示す形態によれば、ブラシ８３の総面積を減らすことにより、中間転写ベルト４２１及び該ベルトの駆動源への負荷が軽減され、また、コスト削減が図られる。
【００８８】
加えて、図６Ｂに示す構成は、軸部８２に対するローラー本体８１ａ及び８１ｂの位置、ローラー本体８１ａ及び８１ｂ間の距離を変更することが容易である。したがって、かかる構成によれば、相互に幅の異なる複数の長尺紙Ｐに対応可能であり、また、軸部８２に対するローラー本体８１ａまたは８１ｂの相対位置を変更して、中間転写ベルト４２１にアクセスする位置を微調整することも可能になる。
【００８９】
〔糊回収のためのさらなる構成〕
次に、ブラシローラー８０または９０で糊Ｐｓを捕獲、回収することに寄与ないし関連するさらなる構成について説明する。
【００９０】
一般に、糊の粘着性は、低温状態よりも高温状態とした方が低下する。このため、図４に示す各部材の周辺温度、すなわちブラシローラー８０，９０におけるブラシの温度さらには屈曲ローラー４２３Ｃの温度を、上流側の２次転写部の温度よりも高い状態とすることが好ましい。
【００９１】
このような温度状態とすることで、糊が二次転写の際に中間転写ベルト４２１に付着した時よりも、糊の除去（捕獲、回収）時の方が糊の粘着性が低くなり、糊の除去の確実性を増加させることが可能となる。
【００９２】
本実施の形態の画像形成装置２では、図１に示すように、定着部６０は、２次転写部よりもブラシローラー８０，９０及び屈曲ローラー４２３Ｃ側に相対的に近い位置にある。したがって、この画像形成装置２では、定着部６０の熱を熱源として利用して、ブラシローラー８０，９０のブラシや屈曲ローラー４２３Ｃの温度を、上流側の２次転写部の温度よりも高い状態とすることができる。定着部６０の熱を効率的ないし集中的にブラシローラー８０，９０等に伝達するために、熱案内部材（図示略）により定着部６０からの熱伝導経路を設けてもよい。また、定着部６０とは別個のヒーターを専用に設けて、かかる専用ヒーターによりブラシローラー８０、９０及び屈曲ローラー４２３Ｃに熱を供給する構成としてもよい。
【００９３】
上述した実施の形態では、長尺紙Ｐから染み出した糊を回収、除去するために、ブラシローラー８０（第１の清掃部材）及びブラシローラー９０（第２の清掃部材）の両方を設ける構成とした。これに対して、ブラシローラー８０及びブラシローラー９０のいずれかのみを設ける構成としてもよい。
【００９４】
上述したように、長尺紙Ｐの糊Ｐｓは、部材への接触面積が大きくなるほど付着しやすくなる。言い換えると、糊の付着力は、凹凸面（点接触）よりも平滑面（面接触）の方が強くなる。
【００９５】
かかる糊の性質に鑑みると、ブラシローラー９０を設ける構成の場合に、屈曲ローラー４２３Ｃの表面を、例えば鏡面加工を施すことにより、中間転写ベルト４２１の表面（外面）よりも平滑な平滑面とすることもできる。かかる平滑面は、中間転写ベルト４２１に対する当接面である屈曲ローラー４２３Ｃの表面全体に設ける構成、或いは屈曲ローラー４２３Ｃのローラー軸方向における中央部を除いた両端側に設ける構成のいずれでもよい。
【００９６】
屈曲ローラー４２３Ｃの表面に平滑面を設けた場合、中間転写ベルト４２１に付着した糊は、屈曲ローラー４２３Ｃを通過する際に中間転写ベルト４２１から分離されて、いわば積極的に屈曲ローラー４２３Ｃに付着する。他方、屈曲ローラー４２３Ｃにアクセスするブラシローラー９０のブラシは、糊に対して、屈曲ローラー４２３Ｃの平滑面よりも広い接触面積を有している。したがって、中間転写ベルト４２１に付着した糊は、屈曲ローラー４２３Ｃを通過する際に、まず屈曲ローラー４２３Ｃの平滑面に転移し（図４参照）、続いてブラシローラー９０のブラシによって捕獲、回収される。
【００９７】
上述した実施の形態では、屈曲ローラー４２３Ｃの表面を平滑面とし、かかる屈曲ローラー４２３Ｃにブラシローラー９０を対向して設ける構成とした。他の例として、ブラシローラー８０の代わりに、ローラー本体の表面が平滑面であるローラーを第１の清掃部材として設け、かかるローラーにブラシローラー９０を対向して設ける構成とすることもできる。
【００９８】
以上、詳細に説明したように、本発明を適用した実施の形態によれば、紛体を供給することなく、記録媒体の糊が屈曲ローラーに堆積することを効果的に抑制することが可能になる。
【００９９】
上記実施の形態では、パーソナルコンピューターなどの外部装置から受信される画像データに基づいて画像形成する画像形成装置２について説明したが、これに限られない。画像形成装置２は、図示しないＡＤＦ（Auto Document Feeder）などの自動原稿給紙装置および原稿画像走査装置（スキャナー）等を備える構成としてもよい。この場合、自動原稿給紙装置により、原稿トレイに載置された多数枚の原稿の画像（両面を含む）を連続して一挙に読み取って、長尺紙Ｐに画像を形成することができる。
【０１００】
また、上記実施の形態では、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【符号の説明】
【０１０１】
２  画像形成装置
４０  画像形成部
４１３  感光体ドラム
４２  中間転写ユニット
４２１  中間転写ベルト（転写ベルト）
４２３（４２３Ａ〜Ｄ）  支持ローラー
４２３Ａ  駆動ローラー
４２３Ｂ  バックアップローラー
４２３Ｃ  屈曲ローラー
４２６  ベルトクリーニング装置（トナークリーニング部材）
８０  ブラシローラー（第１の清掃部材）
８３  ブラシ（糊捕獲部）
９０  ブラシローラー（第２の清掃部材）
Ｐ  長尺紙（記録媒体）
Ｐｓ  糊層（糊）
【図１】
2018017901.tif 000003
【図２】
2018017901.tif 000004
【図３】
2018017901.tif 000005
【図４】
2018017901.tif 000006
【図５】
2018017901.tif 000007
【図６】
2018017901.tif 000008